【手続補正書】
【提出日】平成16年3月31日(2004.3.31)
【手続補正１】
【補正対象書類名】明細書
【補正対象項目名】全文
【補正方法】変更
【補正の内容】
【発明の名称】パチンコ遊技盤用電飾器
【特許請求の範囲】
【請求項１】発光部材を有するとともにパチンコ遊技盤の遊技領域に配置されて装飾性を高めるパチンコ遊技盤用電飾器であって、上記発光部材として白色発光の白色ＬＥＤを有するとともに、この白色ＬＥＤを組み込んだ透光部材を具備することを特徴とするパチンコ遊技盤用電飾器。
【請求項２】上記白色ＬＥＤは、上記遊技盤中に埋め込まれたベースに支持されて上記透光部材を裏側から照射し、
上記透光部材は、同ベースに回転可能に支持され、同透光部材の回転中心部分を構成する円筒部は、その表面側に所定数の有色透明の扇形樹脂部材を止着することを特徴とする請求項１に記載のパチンコ遊技盤用電飾器。
【請求項３】上記円筒部は、上記白色ＬＥＤと対面する底板において照射光を散乱させるための細かな凹凸を形成することを特徴とする請求項２に記載のパチンコ遊技盤用電飾器。
【請求項４】上記白色ＬＥＤは、上記遊技盤中に埋め込まれたベースに支持されるとともに、同ベースに回転可能に支持される上記透光部材の回転中心部分を構成する円筒部の周面内側に対面して同周面を照射することを特徴とする請求項１に記載のパチンコ遊技盤用電飾器。
【請求項５】上記透光部材は、上記円筒部の外周面の複数箇所において突設されたアームを有するとともに、同アームの外周面にはプリズムを形成する傾斜面が形成されることを特徴とする請求項４に記載のパチンコ遊技盤用電飾器。
【請求項６】上記白色ＬＥＤは、上記遊技盤中に埋め込まれたベースに支持されて上記透光部材を裏側から照射し、
上記透光部材は、同ベースに回転可能に支持され、同透光部材の回転中心部分を構成する円筒部は、周面が同円筒部の表面側から裏側に向けて大径となるように傾斜するとともに、同円筒部の内側に同裏側に向けて小径となる円錐形状の反射板を配設し、同反射板における同透光部材の回転角度を所定角度とした場合に上記白色ＬＥＤと対面する位置には、照射光を通過させるための貫通口を形成することを特徴とする請求項１〜請求項３のいずれかに記載のパチンコ遊技盤用電飾器。
【請求項７】上記透光部材は、上面に入賞口を有し側面に排出口を有するチャッカーガイド部を形成するとともに、同入賞口には遊技球の通過を検出するセンサが形成され、
上記白色ＬＥＤは、上記チャッカーガイド部における入賞口から排出口へと連通する遊技球の誘導路中に埋め込まれるように配設され、上記センサにおいて遊技球の通過が検出されると同時にランダムに明滅することを特徴とする請求項１に記載のパチンコ遊技盤用電飾器。
【発明の詳細な説明】
【０００１】
【発明の属する技術分野】
本発明は、パチンコ遊技盤用電飾器に関する。
【０００２】
【従来の技術】
パチンコ遊技盤には各種の電飾器が利用されて遊技の趣向性を高めている。電飾器の形状、色、配置などによってパチンコ遊技盤の人気が左右され、従来よりさまざまなタイプの電飾器が開発されている。ただし、遊技盤内という限られた領域においては凝った作りであれば受け入れられるというわけではなく、シンプルであることも重要である。
【０００３】
従来より電飾器には小型の白熱球が利用されてきたが、近年ではＬＥＤも利用されるようになった。しかしながら、ＬＥＤは何らかの色が付いていることが多いため、着色された透光性の電飾部材を透過照明するのには適していない。
従って、透過照明するような場合には依然として小型の白熱球が利用されている。
【０００４】
【発明が解決しようとする課題】
上述した従来のパチンコ遊技盤用電飾器においては、次のような課題があった。
【０００５】
小振動の発生しやすいパチンコ遊技盤では小型白熱球のフィラメント切れが発生しやすく、不点灯の状態ではパチンコ遊技盤の趣向性が極度に低下する。従って、小型白熱球を利用する場合は交換できるように開閉可能としなければならないなど、デザインの制限が大きい。また、小型とはいっても白熱球である以上、ＬＥＤのように小さくすることはできない。
ＬＥＤを利用すれば、フィラメント切れといった問題は発生しないものの有色であるので色使いに限界がある。
【０００６】
本発明は、上記課題にかんがみてなされたもので、各種の制約が大きいパチンコ遊技盤にて趣向性を高めつつメンテなどを容易にすることが可能なパチンコ遊技盤用電飾器の提供を目的とする。
【０００７】
【課題を解決するための手段】
上記目的を達成するため、請求項１にかかる発明は、発光部材を有するとともにパチンコ遊技機の遊技領域に配置されて装飾性を高めるパチンコ遊技盤用電飾器であって、上記発光部材として白色発光の白色ＬＥＤを有するとともに、この白色ＬＥＤを組み込んだ透光部材を具備する構成としてある。
【０００８】
上記のように構成した請求項１にかかる発明においては、透光部材に白色発光の白色ＬＥＤを組み込んであり、同白色ＬＥＤが発する白色光が透光部材を透過して外部に照射される。
近年開発されてきた白色発光のＬＥＤは、従来のような有色光を発するものではなく、遊技盤領域という限定された領域で装飾性を高めるために使用するには好適である。
【０００９】
白色ＬＥＤの透光部材への組み込み方としては、様々な態様が考えられる。
請求項２にかかる発明は、請求項１に記載のパチンコ遊技盤用電飾器において、上記白色ＬＥＤは、上記遊技盤中に埋め込まれたベースに支持されて上記透光部材を裏側から照射し、上記透光部材は、同ベースに回転可能に支持され、同透光部材の回転中心部分を構成する円筒部は、その表面側に所定数の有色透明の扇形樹脂部材を止着する構成としてある。
【００１０】
上記のように構成した請求項２の発明においては、透光部材は、遊技盤中に埋め込まれたベースに回転可能に支持されており、同透光部材の回転中心部分を構成する円筒部は、その表面側に所定数の有色透明の扇形樹脂部材を止着している。そして、ベースに支持された上記白色ＬＥＤが、同透光部材を裏側から照射する。
すなわち、白色発光の白色ＬＥＤを利用するといっても、常に白色光だけで照明を行う必要はなく、上記透光部材として複数の有色透光部材を有する構成とすることもできる。従来の有色ＬＥＤであれば同一色でなければ有色透光部材を利用できなかったが、白色ＬＥＤを組み込むことによってそれぞれの有色透光部材を透過して混じりけのない照明光を発することになる。
【００１１】
また、上記円筒部においては、上記白色ＬＥＤと対面する底板において照射光を散乱させるための細かな凹凸を形成するとしてもよい。かかる凹凸を形成すれば、照射光は散乱するので、単に透光部材を通過するのみならず、同透光部材を全体的に発光させる。
【００１２】
請求項４にかかる発明は、請求項１に記載のパチンコ遊技盤用電飾器において、上記白色ＬＥＤは、上記遊技盤中に埋め込まれたベースに支持されるとともに、同ベースに回転可能に支持される上記透光部材の回転中心部分を構成する円筒部の周面内側に対面して同周面を照射する構成としてある。
【００１３】
上記のように構成した請求項４の発明においては、白色ＬＥＤは、上記ベースに回転可能に支持される上記透光部材の回転中心部分を構成する円筒部の周面内側に対面することにより、同周面を照射する。すなわち、円筒部を裏側から正面側へと照射するのではなく、同円筒部の周面を照らすことで、円筒部の側面から全体にかけて発光させるとしてもよい。
【００１４】
上記透光部材は、上記円筒部の外周面の複数箇所においてアームを突設し、同アームの外周面にプリズムを形成する傾斜面を形成するとしてもよい。かかる傾斜面を形成すれば、側面に向けて発光される白色光が同傾斜面にて全反射されて正面側にも照射されることになる。
【００１５】
また、白色光は必ずしも直に透光部材を透光させるのではなく、透光部材に組み込みつつも反射光を利用して同透光部材を透過させるような構成とすることもできる。より具体的には、反射板を備えておいて同反射板にて反射させる構成とする。
そこで、請求項６にかかる発明は、請求項１〜請求項３のいずれかに記載のパチンコ遊技盤用電飾において、上記透光部材は、同ベースに回転可能に支持され、同透光部材の回転中心部分を構成する円筒部は、周面が同円筒部の表面側から裏側に向けて大径となるように傾斜するとともに、同円筒部の内側に同裏側に向けて小径となる円錐形状の反射板を配設し、同反射板における同透光部材の回転角度を所定角度とした場合に上記白色ＬＥＤと対面する位置には、照射光を通過させるための貫通口を形成する構成としてある。このとき、上記白色ＬＥＤは、遊技盤中に埋め込まれたベースに支持されて上記透光部材を裏側から照射する。
【００１６】
上記のように構成した請求項６の発明においては、上記透光部材の回転中心部分を構成する円筒部は、その周面が同円筒部の表面側から裏側に向けて大径となるように傾斜している。また、同円筒部の内側には、同裏側に向けて小径となる円錐形状の反射板が配設されている。さらに、同反射板には、同透光部材の回転角度を所定角度とした場合に上記白色ＬＥＤと対面する位置に、照射光を通過させるための貫通口が形成されている。その結果、白色ＬＥＤからの照射光は、円筒部が回転すると、回転角度によって貫通口を通過して同円筒部の底板から正面側に透過したり、あるいは、円筒部の側面側を透過したりする。
【００１７】
白色ＬＥＤを遊技球の通路に配置して白色光を遊技球から反射させるようにしてもよい。そこで、請求項７にかかる発明は、請求項１に記載のパチンコ遊技盤用電飾器において、上記透光部材は、上面に入賞口を有し側面に排出口を有するチャッカーガイド部を形成するとともに、同入賞口には遊技球の通過を検出するセンサが形成され、上記白色ＬＥＤは、上記チャッカーガイド部における入賞口から排出口へと連通する遊技球の誘導路中に埋め込まれるように配設され、上記センサにおいて遊技球の通過が検出されると同時にランダムに明滅する構成としてある。
【００１８】
上記のように構成した請求項７の発明においては、上記透光部材は、上面に入賞口を有し側面に排出口を有するチャッカーガイド部を形成するとともに、同入賞口には遊技球の通過を検出するセンサが形成されている。そして、白色ＬＥＤは、上記チャッカーガイド部における入賞口から排出口へと連通する遊技球の誘導路中に埋め込まれるように配設されている。上記センサが遊技球の通過を検出すると、これと同時に白色ＬＥＤがランダムに明滅し、白色光の一部がそのまま遊技者の側に向かって照射されたり、一部が遊技球に照射されて周囲に散乱されたりする。
【００１９】
有色透光部材を利用したり反射板を利用する場合も含めて、可動部材に組み込んで発光させる構成とすることも可能である。可動部材は固定部材に比べて発光部材の装着スペースをより小型化する必要がある。この点で白色ＬＥＤは好適であり、かつ、可動部材の透過光がきらめく様子が趣向性を一段と増すことに貢献する。
【００２０】
ここで、上記白色ＬＥＤの電源との接続態様を次のようにしてもよい。
上記パチンコ遊技盤用電飾器において、上記白色ＬＥＤは、一対の電力供給用端子に対して両端子を夫々圧入可能な第一および第二の電源端子穴と、抵抗素子を挿入させ同抵抗素子の第一のリードを第一の電源端子穴に挿通せしめる抵抗穴と、抵抗素子の第二のリードと白色ＬＥＤのリードとを挿入させて両者を接続するための接続穴とを有する弾性樹脂素材からなるソケットを用い、第一のリードを第二の電源端子穴に挿通させるとともに第二のリードを抵抗素子の上記第二のリードとともに上記接続穴に挿入することによって電力供給用端子および抵抗素子と夫々電気的に接続する構成としてもよい。
【００２１】
上記構成においては、弾性樹脂素材からなるソケットを用いて組み付けられる。具体的には、同ソケットは、一対の電力供給用端子に対して両端子を夫々圧入可能な第一および第二の電源端子穴と、抵抗素子を挿入させ同抵抗素子の第一のリードを第一の電源端子穴に挿通せしめる抵抗穴と、抵抗素子の第二のリードと白色ＬＥＤのリードとを挿入させて両者を接続するための接続穴とを有する。かかる構成下、同白色ＬＥＤの第一のリードを第二の電源端子穴に挿通させ、かつ、同白色ＬＥＤの第二のリードを抵抗素子の第二のリードとともに上記接続穴に挿入する。その結果、白色ＬＥＤは、電力供給用端子および抵抗素子と夫々電気的に接続する。
【００２２】
また、上記抵抗素子の第二のリードは、同抵抗素子の周囲に巻き付けられて上記抵抗穴内に収容され、上記白色ＬＥＤの第二のリードは、同抵抗穴内に挿入されることによって、同抵抗素子の第二のリードと電気的に接続する構成としてもよい。すなわち、抵抗素子の第二のリードと白色ＬＥＤの第二のリードとを挿入する接続穴を、上記抵抗穴で共用してもよい。
【００２３】
また、上記パチンコ遊技盤用電飾器において、上記白色ＬＥＤは、電源と同白色ＬＥＤとを結線するための電源ケーブルと、同白色ＬＥＤを所定位置に支持しつつ同電源ケーブルと白色ＬＥＤとを結線するに際して電流制限した電源を同白色ＬＥＤに供給するための所定の電流制限用抵抗素子を介在させたプリント基板とともに電飾アッシーを形成するとしてもよい。
【００２４】
上記構成においては、上記白色ＬＥＤは、電源と同白色ＬＥＤとを結線するための電源ケーブルと、プリント基板とともに電飾アッシーを形成する。同プリント基板は、白色ＬＥＤを所定位置に支持しつつ電源ケーブルと白色ＬＥＤとを結線するに際して所定の電流制限用抵抗素子を介在させており、同電流制限用抵抗素子によって、電流制限した電源を同白色ＬＥＤに供給する。
【００２５】
【発明の効果】
以上説明したように本発明は、パチンコ遊技盤の電飾器においてかつてない白色ＬＥＤを採用して組み込むことにより、これまでになく趣向性を盛り上げ、遊技者の遊び心をつかんで魅了することが可能なパチンコ遊技盤用電飾器を提供することができる。
特に、小型の異なる複数の有色透光部材を配置することができ、美しさが増すし、可動部材に組み込んで反射光を散乱させるなどすればより、美しさが増す。
【００２６】
【発明の実施の形態】
以下、図面にもとづいて本発明の実施形態を説明する。
図１は、本発明の一実施形態にかかるパチンコ遊技盤用電飾器を正面図により示しており、図２は断面図により示している。本実施形態においては、パチンコ遊技盤用電飾器を風車に適用している。
図において、この風車１０は回転する風車体２０と、同風車体２０を回転可能に支持するベース３０とから構成されている。風車体２０は全体として無色透明の樹脂材料にて形成されており、回転中心側に円筒部２１を有するとともにその外周面から８方向にＬ字形のアーム２２が突設されている。円筒部２１は正面側から見ると底板２１ａが備えられることになるが、反対側は開放されている。この底板２１ａの表面には四つの凹部２１ａ１が形成されており、各凹部２１ａ１には有色の扇形樹脂透光板２３がはめ込まれている。この扇形樹脂透光板２３は透光性のある複数の色となるように構成されている。底板２１ａの中央には奥側に向かってボス２１ｂが立設されており、同ボス２１ｂを抜け止めのネジ２４が貫通して風車体２０をベース３０に取り付けている。なお、底板２１ａの裏面側には細かな凹凸が形成され、散乱光を生成せしめるようになっている。
【００２７】
ベース３０は正面側が遊技盤の盤面４０と略面一になるように同盤面４０中に埋め込まれて支持されている。このベース３０は正面側に配置される装飾基板３１を有するとともに、その裏面側にプリント基板３２を支持しており、同プリント基板３２には一対の白色ＬＥＤ３３が備えられている。この白色ＬＥＤ３３は装飾基板３１に形成された貫通口３１ａを介して上記風車体２０における円筒部２１の底板２１ａに対面しており、同底板２１ａに白色光を照射するようになっている。
【００２８】
白色光を発光する白色ＬＥＤ３３としては、例えば窒化ガリウムと蛍光材を組み合わせたものであるとか、セレン化亜鉛系のものなどが現在利用可能である。むろん、白色光を発するものであれば、これに限られるものではない。
かかる構成において、ベース３０の側で支持された白色ＬＥＤ３３が上記貫通口３１ａを貫通して風車体２０の底板２１ａ裏面に対面しており、風車体２０が停止している状態では白色光が底板２１ａを透過するとともに、その表面側にはめ込まれたいずれか二つの扇形樹脂透光板２３を透過する。上述したように底板２１ａは無色透明であるし、扇形樹脂透光板２３は着色されているので、扇形樹脂透光板２３が有する混じりけのない色の光が遊技者の側に照射される。
【００２９】
また、底板２１ａの裏面側には細かな凹凸を形成してあるため、照射光は単に風車体２０を通過するのみならず、この風車体２０自身を全体的に発光させるし、さらには一部がアーム２２内に進入してアーム２２を発光させる。
遊技が開始されると、遊技盤の盤面４０に沿って遊技球が流下してくるため、アーム２２にぶつかり、風車体２０を回転させる。すると、底板２１ａの回転にともなって扇形樹脂透光板２３も回転し、白色ＬＥＤ３３が照射する白色光は各色の扇形樹脂透光板２３を透過してその早さに応じた美しい色を発することになる。
【００３０】
ＬＥＤの発光色は赤、緑、オレンジなどの決まり切った色が多いが、白色光が無色透明な樹脂板を通過して白色光のまま照射されたり、任意の有色樹脂板を通過することにより、これまでにない趣向性を提供することができるようになる。
図３と図４は変形例にかかる風車１１０を示しており、この例では白色ＬＥＤ１３３が風車体１２０の底板１２１ａを照らすのではなく、円筒部１２１の周面を照らしている。周面に対面しているのは円筒部１２１の側面から全体にかけて発光させつつも、遊技盤面１４０を流下する遊技球を照明し、その散乱光を遊技盤面１４０上に向けて照射させるためである。これにより、これまでにない散乱光が発せられ、趣向性が向上する。むろん、有色ＬＥＤを使用しても同方向に照射光を発することは可能であるが、白色ＬＥＤ１３３であると遊技球の銀色と白色光とがマッチしてより上品で美しい光となる。
【００３１】
なお、アーム１２２の外周面にはプリズムを形成する傾斜面１２２ａを形成してあり、側面に向けて発光される白色光が同傾斜面１２２ａにて全反射されて正面側にも照射されることになる。
図５と図６は他の変形例にかかる風車２１０を示している。
この風車は円筒部２２１の側面が裏側に向けて大径となるように傾斜しており、また、円筒部２２１の内側には裏側に向けて小径となる円錐形状の反射板２２５を配設している。反射板２２５には白色ＬＥＤ２３３に対面する位置に対応して貫通口２２５ａも形成してあり、同貫通口２２５ａが白色ＬＥＤ２３３に対面する位置では白色光が反射板２２５を貫通して底板２２１ａを照射するし、同貫通口２２５ａが白色ＬＥＤ２３３に対面しない位置では白色光は円筒部２２１の側面に照射されるようになっている。なお、底板２２１ａの正面側には上述した扇形樹脂透光板２３と同様に一定角度毎に色分けした円形の有色樹脂板２２３が装着されている。
【００３２】
かかる構成のもとで円筒部２２１が回転すると、回転角度によって上記底板２２１ａから有色樹脂板２２３を透過して正面側に有色光を発したり、あるいは、円筒部２２１の側面側を透過して正面側と遊技盤面２４０側を照射することになる。
図７と図８は本発明のパチンコ遊技盤用電飾器を通過式チャッカーに適用した変形例を示している。この通過式チャッカーは、上面に入賞口を形成しつつ側面に排出口を形成した全体として無色透明のチャッカーガイド部５１と、同チャッカーガイド部５１の入賞口を形成するセンサ５２を有している。また、裏面側にはプリント基板５３を有しており、同プリント基板５３上に三つの白色ＬＥＤ５４を支持している。この白色ＬＥＤ５４はチャッカーガイド部５１における遊技球の誘導路中に埋め込まれるように配設されており、センサ５２にて遊技球の通過を検出すると同時にランダムに明滅するようになっている。
【００３３】
かかる通過式チャッカーを遊技球が通過すると同時に、白色ＬＥＤ５４はランダムに明滅するので、一部はそのまま遊技者の側に向かって照射され、一部は遊技球に照射されて周囲に散乱される。周囲に散乱された白色光はチャッカーガイド部５１を透過して全体として発光させる。
図９は、白色ＬＥＤの装着装置を概略斜視図により示しており、図１０は断面図により示している。
プリント基板６１には一対の銅線６２ａ，６２ａを平行に並べて支持する雄型端子６２が半田付固定されている。銅線６２ａ，６２ａの突出端部は尖鋭に形成されており、弾性樹脂素材からなるソケット７０の下部挿入口７１，７１に挿入可能となっている。ソケット７０は外形が円柱状に形成されており、抵抗素子８１を挿入可能な抵抗穴７２が形成されている。この抵抗穴７２は有底であり、底壁には上記下部挿入口７１が形成されている。電流制限用の抵抗素子８１のリード８１ａはこの下部挿入口７１を貫通して下方に突出され、ソケット７０の側壁側へと折り曲げられることになるため、上記下部挿入口７１の下方側開口端部には側壁面へと連続する溝部７１ａも形成されている。
【００３４】
一方、他方の下部挿入口７１についてはソケット７０を上下に貫通しており、上面側から白色ＬＥＤ８２のリード８２ａを挿通可能となっている。この下部挿入口７１についても、上記リード８２ａを挿通してソケット７０の側壁側へと折り曲げることになるため、溝部７１ａが形成されている。
さらにソケット７０の上面にはリード接続穴７３も形成されている。このリード接続穴７３は抵抗素子８１の他方のリード８１ｂと白色ＬＥＤ８２の他方のリード８２ｂともに挿入可能な大きさとなっている。
【００３５】
すなわち、電力供給用端子に対して同端子を圧入可能な電源端子穴（下部挿入口）を有する弾性素材からなるソケットと、このソケットに形成された抵抗穴に挿入されるとともに一方のリードを上記電源端子穴に挿通せしめた電流制限用の抵抗素子と、一方のリードを上記電源端子穴の他方に挿通せしめるとともに他方のリードを上記抵抗素子の他方のリードとともに上記ソケットに形成したリード接続穴に挿入される発光ダイオードとを具備する構成となっている。
【００３６】
このような構成からなる装着装置を組み付ける際には、次のようにする。まず、抵抗素子８１と白色ＬＥＤ８２の各リード８１ａ，８１ｂ，８２ａ，８２ｂについては図に示されるような所定の長さに切断しておく。抵抗素子８１については上方のリード８１ｂを折り返し、下方のリード８１ａを伸ばしたまま抵抗穴７２に挿入していき、同リード８１ａの先端を下部挿入口７１から突出させ、上記溝部７１ａに沿ってソケット７０の側壁側へと折り返す。また、予め折り返したリード８１ｂの先端は上記リード接続穴７３に挿入しておく。
【００３７】
次に、白色ＬＥＤ８２のリード８２ａを下部挿入口７１に挿通し、貫通した先端を溝部７１ａに沿って側壁の側に折り返す。また、他方のリード８２ｂについては抵抗素子８１のリード８１ｂが挿入されているリード接続穴７３に挿入する。
このようにしてソケット７０に対して抵抗素子８１と白色ＬＥＤ８２を組み付けたら、従来の白熱球に入れ替えて雄型端子６２の銅線６２ａ，６２ａが上記下部挿入口７１，７１に対して挿入されるように押し込んでいく。ソケット７０は弾性樹脂素材で成形されているため、リード８１ａ，８１ｂ，８２ａ，８２ｂや銅線６２ａ，６２ａは互いに適度に押圧され、電気的にも接続する。
【００３８】
すなわち、従来の白熱球が装着される雄型端子６２に対して白色ＬＥＤを接続させるため、上記雄型端子に装着されるソケット７０には電流制限用の抵抗素子８１を収容できるようにしてあり、白色ＬＥＤ８２のリード８２ａ，８２ｂを当該ソケット７０に対して突き刺すようにして簡易に支持させることが可能となる。
上述したソケット７０では、抵抗素子８１のリード８１ｂと白色ＬＥＤ８２のリード８２ｂとをリード接続穴７３に挿入しているが、挿入作業を簡易にすることも可能である。図１１と図１２に示す例では、ソケット１７０に抵抗穴１７２に対して白色ＬＥＤ１８２のリード１８２ｂを挿入する。この抵抗穴１７２には抵抗素子１８１を挿入するが、上記リード１８２ｂと抵抗素子１８１のリード１８１ｂとが互いに接触するようにするために、リード１８１ｂを単に折り返すだけでなく、抵抗素子１８１の周囲に巻き付けておく。この結果、リード１８１ｂはある部分においてリード１８２ｂと押圧され、電気的に接続する。この例では、上述したリード穴を抵抗穴で共用したことになる。
【００３９】
なお、これらの例では抵抗素子８１，１８１がソケット７０，１７０に収容されるようにしているが、必ずしも全体が収容されるようにする必要はなく、外部に突き出るようになっていてもよい。また、白色ＬＥＤを複数個あるいは色を変えた複数のＬＥＤを装着できるようにしてもよい。むろん、この場合にはソケット７０に対してリードを挿入するための複数の穴を形成することになる。
また、以上の例ではソケット７０に抵抗素子を装着して白熱球自身と入れ替えるようにしているが、基板単位で白熱球と入れ替えると入れ替える構成とすることもできる。
【００４０】
図１３は従来の電飾アッシーを示している。デジタル式可変表示器の枠部分を電飾する場合、背面側に備える樹脂製の枠体３１０にプリント基板３２０を支持する。このプリント基板３２０には装着したい白熱球の組だけ電源端子３２１の対を備えており、ソケット３３１を備えた白熱球３３０を装着している。また、プリント基板３２０には電源ケーブル３４０が接続されており、その他端は図示しないコネクタを介してパチンコ遊技機のメイン基板３５０に接続されている。
【００４１】
メイン基板３５０の側から見ると、電飾機器を点灯させるためには白熱球を前提とした電圧でオン・オフさせるように設計されている。このため、電飾機器ごとに出力回路を変更するのは煩わしい。もし、プリント基板３２０上で従来の白熱球３３０に代えて発光ダイオードを装着してしまうと、回路変更を余儀なくされ、既存のものを流用しにくくなる。
図１４は回路図を示しているが、右側の所定の電源に対して並列接続で白熱球３３０を接続していることになる。
【００４２】
これに対し、図１５〜図１７に示す本発明の実施例では、プリント基板４２０上に電流制限用抵抗４５０を装着してあり、この電流制限用抵抗４５０を介して電流制限された電源を各白色ＬＥＤ４３０に供給するようにした。このようにプリント基板４２０上に電流制限用抵抗４５０まで備えているので、外部的に見れば白熱球３３０を使用する場合と同じ電源に対してそのまま接続できるようになる。むろん、このプリント基板４２０は従来のプリント基板３２０に対応して形成してあり、枠体４１０に装着する。
【００４３】
このように、本実施例においては、遊技機における電飾器のための発光素子を配設するアッシーであって、電源と結線するための電源ケーブルと、上記発光素子としてのＬＥＤ（白色ＬＥＤ４３０）と、同ＬＥＤを所定位置に支持しつつ上記電源ケーブルとＬＥＤを結線するに際して所定の電流制限用抵抗素子を介在させたプリント基板とを具備する構成としてある。
すなわち、電飾器における白熱球を使用したプリント基板に代え、同プリント基板上には白色ＬＥＤとともに電流制限用抵抗を配設することにより、従来の白熱球への電源端子に対してそのまま電源ケーブルを接続できるようになった。
【００４４】
また、電流制限用抵抗を備える場合であっても、単体の白色ＬＥＤの電力消費量は少ないため、同じ基板に沢山の白色ＬＥＤを使用して光量をアップできる。さらに、沢山の白色ＬＥＤを近接して配設することができ、遊技者から見たときに電飾器の全体が均一して発光できるようにもなる。
このように、白色ＬＥＤを透光部材に組み込んでパチンコ遊技盤における各種の電飾器に利用することにより、白色光が銀玉とマッチしてこれまでにない美しさを発揮しつつ、任意の有色光をも併せて発光させることが可能となり、かつ、これらがフィラメント切れをなくしてメンテフリーで利用できるようになる。
【図面の簡単な説明】
【図１】本発明の一実施形態にかかるパチンコ遊技盤用電飾器を適用した風車の正面図である。
【図２】同風車の断面図である。
【図３】本発明の変形例にかかるパチンコ遊技盤用電飾器を適用した風車の正面図である。
【図４】同風車の断面図である。
【図５】本発明の変形例にかかるパチンコ遊技盤用電飾器を適用した風車の正面図である。
【図６】同風車の断面図である。
【図７】本発明の変形例にかかるパチンコ遊技盤用電飾器を適用した通過式チャッカーの正面図である。
【図８】同通過式チャッカーの断面図である。
【図９】白色ＬＥＤの装着装置を示す概略斜視図である。
【図１０】同装着装置の概略断面である。
【図１１】変形例にかかる白色ＬＥＤの装着装置を示す概略断面図である。
【図１２】同装着装置におけるソケットの概略斜視である。
【図１３】従来の電飾器の斜視図である。
【図１４】同電飾器の回路図である。
【図１５】本発明の電飾器の要部正面図である。
【図１６】同電飾器の要部側面図である。
【図１７】同電飾器の回路図である。
【符号の説明】
１０…風車
２０…風車体
２１…円筒部
２１ａ…底板
２１ａ１…凹部
２１ｂ…ボス
２２…アーム
２３…扇形樹脂透光板
２４…ネジ
３０…ベース
３１…装飾基板
３１ａ…貫通口
３２…プリント基板
３３…白色ＬＥＤ
４０…盤面
５１…チャッカーガイド部
５２…センサ
５３…プリント基板
５４…白色ＬＥＤ
１１０…風車
１２０…風車体
１２１…円筒部
１２１ａ…底板
１２２…アーム
１２２ａ…傾斜面
１３３…白色ＬＥＤ
１４０…遊技盤面
２１０…風車
２２１…円筒部
２２１ａ…底板
２２３…有色樹脂板
２２５…反射板
２２５ａ…貫通口
２３３…白色ＬＥＤ
２４０…遊技盤面
７０，１７０…ソケット
７１，１７１…下部挿入口
７１ａ…溝部
７２，１７２…抵抗穴
７３…リード接続穴
８１，１８１…抵抗素子
８１ａ，８１ｂ，１８１ａ，１８１ｂ…リード
８２，１８２…白色ＬＥＤ
８２ａ，８２ｂ，１８２ａ，１８２ｂ…リード
４１０…枠体
４２０…プリント基板
４３０…白色ＬＥＤ
４４０…電源ケーブル
４５０…電流制限用抵抗